(57)【要約】      （修正有）【課題】特に簡単な構造で複数の電源スイッチを具備するテーブルタップを提供する。【解決手段】上部に押しボタン１１、下部にベース１２が取り付けられる２つ以上の電源スイッチ１０と、該各電源スイッチのベースの一側を次々に貫通するように取り付けられる導電プレート２０と、該各電源スイッチ内におけるベースの他側に取り付けられる電源接続プレート３０とを備える。さらに、該各ベース内における該導電プレートと電源接続プレートとの間に設置されると共に、選択可能に該導電プレートと電源接続プレートとを接続する揺動プレート４０と、該電源スイッチの本体内における、該押しボタンの下方且つ該揺動プレートの上方に位置するように、揺動可能に設置され、該揺動プレートを揺動して選択可能に該導電プレートと電源接続プレートとを接続する揺動ボタン５０と、を有するものである。【選択図】図３
0003175370.tif 000002
【実用新案登録請求の範囲】
【請求項１】
中空の本体、該本体の上部に取り付けられる押しボタン、及び該本体の下部に取り付けられるベースを備える２つ以上の電源スイッチと、
前記各電源スイッチのベースの一側を次々に貫通するように取り付けられる導電プレートと、
前記各電源スイッチ内における前記ベースの他側に取り付けられる電源接続プレートと、
前記各ベース内における前記導電プレートと前記電源接続プレートとの間に設置されると共に、選択可能に該導電プレートと前記電源接続プレートとを接続する揺動プレートと、
前記電源スイッチの本体内における、前記押しボタンの下方、且つ前記揺動プレートの上方に位置するように揺動可能に設置され、該揺動プレートを揺動して選択可能に前記導電プレートと前記電源接続プレートとを接続する揺動ボタンと、を有することを特徴とするテーブルタップ。
【請求項２】
前記導電プレートには、前記各電源スイッチと対応する凹字形の支持部が設けられると共に、該支持部には、前記揺動プレートが設置されることを特徴とする請求項１に記載のテーブルタップ。
【請求項３】
前記電源接続プレートの一端には、前記電源スイッチと対応する支持フレームが設けられると共に、該支持フレームには、前記揺動プレートが設置されることを特徴とする請求項１に記載のテーブルタップ。
【請求項４】
前記電源接続プレートは、前記ベースの他側に取り付けられ、その電源接続プレートにおける、前記ベースと対応する一端に接触端子が設けられることを特徴とする請求項２に記載のテーブルタップ。
【請求項５】
前記導電プレートは、前記各ベースの一側に取り付けられ、その導電プレートにおける、前記各ベースと対応する位置にそれぞれ接触端子が設けられることを特徴とする請求項３に記載のテーブルタップ。
【請求項６】
前記揺動ボタンの底部には、前記揺動プレートに当接して該揺動プレートを揺動させるための当接ロッドが設けられることを特徴とする請求項１ないし５の何れか１項に記載のテーブルタップ。
【請求項７】
前記電源スイッチの本体は、相対するように設けられる側壁と、該側壁にそれぞれ突設される係合部と、を備え、
前記ベースは、相対するように設けられる側壁と、該側壁にそれぞれ、該係合部と対応するように係合される係合孔と、を備えることを特徴とする請求項６に記載のテーブルタップ。
【請求項８】
前記揺動プレートに支持凹部が形成されることを特徴とする請求項１ないし５の何れか１項に記載のテーブルタップ。
【考案の詳細な説明】
【技術分野】
【０００１】
本考案は、電源接続器具に関し、特に簡単な構造で複数の電源スイッチを具備するテーブルタップに関するものである。
【背景技術】
【０００２】
テーブルタップは、家電製品を使用する時に、コンセントの口数が足りない場合や、コンセントが家電製品から離れていてプラグがコンセントに差し込むことができない場合に、延長コードを介して電源を供給するものである。
【０００３】
図８に示すように、前記テーブルタップは通常、複数のコンセントを備えており、同時に複数の家電製品に電力を供給することができる。このような既存のテーブルタップ７０は、第一導電プレート７１及び第二導電プレート７２を備え、内部に互いに対応する複数の制御スイッチ８０及び複数のコンセント部材９０が設置され、その内、該各制御スイッチ８０は、第一接点８１と、第二接点８２と、該第一導電プレート７１と接続する第三接点８３と、を備え、該各コンセント部材９０は、導線７３を介して該第一接点８１と接続する第一接触プレート９１と、導線７３を介して該第二接点８２と接続すると共に、一体に成形されるように該第二導電プレート７２と接続する第二接触プレート９２と、を備える。
【０００４】
上述した構造によれば、前記第一接触プレート９１が導線７３を介して第一接点８１と接続されることから、制御スイッチ８０の切り替えによって、該第一接点８１と第三接点８３とを接続すれば、第一接触プレート９１が第一導電プレート７１と接続されることになり、一方、前記第二接点８２は、導線７３を介して第二接触プレート９２と接続されると共に、第二導電プレート７２とも接続されることから、前記テーブルタップ７０における第一導電プレート７１及び第二導電プレート７２が電源と接続されると、コンセント部材９０に接続されている家電製品に電源を供給することができる。一方、前記制御スイッチ８０の切り替えにより、前記第一接点８１と第三接点８３とを遮断すれば、コンセント部材９０への電源の供給が停止される。
【０００５】
従来のテーブルタップ７０は、第一導電プレート７１及び第二導電プレート７２を介して電源を入れ、導線７３を介して、第一接点８１と第一接触プレート９１とを接続すると共に、第二接点８２と第二接触プレート９２とを接続することによって、電源スイッチの回路を構成するが、その導線７３の接続手段はその殆どが、作業員による半田付けなどの手段を用いるものであった。
【考案の概要】
【考案が解決しようとする課題】
【０００６】
しかしながら、上述した接続手段においては、非常に手間がかかるだけでなく、半田付け加工を行う時に発生する化学物質を吸い込むと、健康に悪影響を及ぼす虞もあった。このことから、この問題を解決するために、ボルトを介して導線を第一接点と第一接触プレートとに接続すると共に、ボルトを介して導線を第二接点と第二接触プレートとに接続する、新たなボルトの螺合手段による組み立て方法が案出された。
【０００７】
だが、その螺合手段における作業は、半田付け手段より複雑で手間がかかり、作業員に対して高度な組み立て技術も要求され、また、螺合されたボルトが緩みやすいといった虞もあり、その上、導線が脱落すれば、テーブルタップの機能を失ってしまうという問題もあった。
【課題を解決するための手段】
【０００８】
本考案に係るテーブルタップは、中空の本体、該本体の上部に取り付けられる押しボタン、及び該本体の下部に取り付けられるベースを備える２つ以上の電源スイッチと、
前記各電源スイッチのベースの一側を次々に貫通するように取り付けられる導電プレートと、
前記各電源スイッチ内における前記ベースの他側に取り付けられる電源接続プレートと、
前記各ベース内における前記導電プレートと電源接続プレートとの間に設置されると共に、選択可能に該導電プレートと電源接続プレートとを接続する揺動プレートと、
前記電源スイッチの本体内における、前記押しボタンの下方、且つ前記揺動プレートの上方に位置するように揺動可能に設置され、該揺動プレートを揺動して選択可能に前記導電プレートと電源接続プレートとを接続する揺動ボタンと、を有するものである。
【０００９】
前記導電プレートには、前記各電源スイッチと対応する凹字形の支持部が設けられると共に、該支持部には、前記揺動プレートが設置されてもよい。
【００１０】
前記電源接続プレートの一端には、前記電源スイッチと対応する支持フレームが設けられると共に、該支持フレームには、前記揺動プレートが設置されてもよい。
【００１１】
前記電源接続プレートは、前記ベースの他側に取り付けられ、その電源接続プレートにおける、ベースと対応する一端に接触端子が設けられることが好ましい。
【００１２】
前記導電プレートは、前記各ベースの一側に取り付けられ、その導電プレートにおける、各ベースと対応する位置にそれぞれ接触端子が設けられることが好ましい。
【００１３】
前記揺動ボタンの底部には、前記揺動プレートに当接して該揺動プレートを揺動させるための当接ロッドが設けられてもよい。
【００１４】
前記電源スイッチの本体は、相対するように設けられる側壁と、該側壁にそれぞれ突設される係合部と、を備え、
前記ベースは、相対するように設けられる側壁と、該側壁にそれぞれ、該係合部と対応するように係合される係合孔と、を備えることが好ましい。
【００１５】
前記揺動プレートには、支持凹部が形成されても構わない。
【考案の効果】
【００１６】
本考案に係るテーブルタップは上記の構造を有し、電源スイッチが導電プレートと電源接続プレートとを介して電源の出力端子及び入力端子と接続されることから、使用者が押しボタンを押して解放すると、電源スイッチのオンまたはオフを制御することができ、また、このテーブルタップは、複数の電源スイッチから構成されるものであり、導電プレートがそれら電源スイッチを貫通するように次々に接続されることから、余計な接続導線などが不要であるので、電気接続構造の組み立てが非常に簡単である。
【図面の簡単な説明】
【００１７】
【図１】本考案に係るテーブルタップの斜視図である。
【図２】本考案に係るテーブルタップにおける電源スイッチの部分分解斜視図である。
【図３】本考案に係るテーブルタップにおける電源スイッチを通電状態とした場合の側面断面図である。
【図４】本考案に係るテーブルタップにおける電源スイッチを遮断状態とした場合の側面断面図である。
【図５】本考案に係るテーブルタップにおける他の実施例の電源スイッチを示す部分分解斜視図である。
【図６】本考案に係るテーブルタップにおける他の実施例の電源スイッチを遮断状態とした場合の側面断面図である。
【図７】本考案に係るテーブルタップにおける他の実施例の電源スイッチを通電状態とした場合の側面断面図である。
【図８】既存のテーブルタップの部分斜視図である。
【考案を実施するための形態】
【００１８】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１９】
図１に示すように、本考案に係るテーブルタップは、２つ以上の電源スイッチ１０と、それら電源スイッチ１０を次々に貫通するように設置される導電プレート２０と、該電源スイッチ１０内に設置される電源接続プレート３０、揺動プレート４０、揺動ボタン５０と、を有し、その内、該各電源スイッチ１０は、中空のケースである本体と、上下移動自在に該本体の上部に取り付けられる押しボタン１１と、該本体の下部に取り付けられるベース１２と、を備える。
【００２０】
前記電源スイッチ１０の本体は、相対するように設けられる側壁１１１と、該側壁１１１にそれぞれ突設される係合部１１２と、を備えると共に、前記ベース１２は、相対するように設けられる側壁１２１と、該側壁１２１にそれぞれ、該係合部１１２と対応するように係合される係合孔１２２と、を備え、これにより、該ベース１２を該本体と組み合わせる。また、前記導電プレート２０は、前記各ベース１２の一側を次々に貫通して一直線となるように取り付けられると共に、該各電源スイッチ１０のベース１２と対応する箇所に、凹字形の支持部２１が設けられる。
【００２１】
図２及び図３に示すように、前記電源接続プレート３０は、前記ベース１２の他側に取り付けられ、該ベース１２と対応する一端に接触端子３１が設けられると共に、他端が該ベース１２の外部へ突出し、前記揺動プレート４０は、前記各ベース１２内に設置される前記導電プレート２０の支持部２１に設置され、一端が前記導電プレート２０と接続されると共に、他端に選択可能に前記電源接続プレート３０の接触端子３１と接触する接触端子４１が取り付けられ、前記揺動ボタン５０は、前記電源スイッチ１０の本体内における、前記押しボタン１１の下方、且つ揺動プレート４０の接触端子４１の上方に位置するように揺動可能に設置され、底部に、前記揺動プレート４０に当接して該揺動プレート４０の揺動を制御するための当接ロッド５１が設けられる。
【００２２】
図３及び図４に示すように、本考案に係るテーブルタップを使用する時は、電源スイッチ１０の押しボタン１１を押圧して解放すると、押しボタン１１により揺動ボタン５０が押圧されて揺動ボタン５０が本体に対して図面の時計回りに回転し、且つ、当接ロッド５１が右側から左側へ移動し、揺動プレート４０の接触端子４１が上方へ移動して接触端子３１から離間するので、導電プレート２０と電源接続プレート３０とが遮断して電源スイッチ１０により電源がOFF状態となる。一方、もう一度押しボタン１１を押圧して解放すると、押しボタン１１に揺動ボタン５０が押圧されて本体に対して図面においての反時計回りに回転し、且つ、当接ロッド５１が左側から右側へ移動し、これにより揺動プレート４０の接触端子４１が下方へ移動して接触端子３１と接触し、導電プレート２０と電源接続プレート３０とが接続され、電源スイッチ１０が通電状態となる。
【００２３】
また、既存の電源スイッチは、３つの接点を有し、それら接点の接触によって、電源スイッチを通電状態、或いは、遮断状態に切り替えるが、それら接点を設置する時には、半田付け手段や導線などによって互いに連接させる必要があると共に、複数の電源スイッチからテーブルタップを構成する時も、複数の制御スイッチをそれぞれコンセント部材に半田付けする必要があるので、組み立てる手間がかかり、構造も複雑である。
【００２４】
一方、本考案に係るテーブルタップにおける本実施例においては、本体とベース１２との間に、簡単な係合構造を有することから、複数の電源スイッチ１０の導電プレート２０への取り付けが簡単であると共に、各電源スイッチ１０の間はそれぞれ、導電プレート２０を介して互いに電気接続するので、他の導線や半田付け手段などを用いずに、テーブルタップの組み立て作業の効率を大幅に高めることができる。
【００２５】
本考案に係るテーブルタップにおける他の実施例では、図５に示すように、電源スイッチ１０の本体上部に上下移動自在に押しボタン１１が取り付けられると共に、該本体下部にベース１２が取り付けられ、また、該ベース１２に、電源スイッチ１０を貫通するように導電プレート２０が取り付けられると共に、電源接続プレート３０及び揺動プレート４０も取り付けられ、該揺動プレート４０を介して導電プレート２０と電源接続プレート３０とを接続させ、或いは、遮断させることによって、電源スイッチ１０を通電状態、或いは、遮断状態に制御することができる。更に、前記電源スイッチ１０内に揺動ボタン５０が設置され、該揺動ボタン５０の下側に、該揺動プレート４０に当接して該揺動プレート４０を揺動するための当接ロッド５１が設けられる。尚、この構造の殆どは上記の実施例と同一である。
【００２６】
図５及び図６に示すように、この実施例はさらに、前記揺動プレート４０の底面における接触端子４１の近傍に支持凹部４２が形成され、前記電源接続プレート３０における、前記ベース１２と対応する一端に、該揺動プレート４０の支持凹部４２と係合される支持フレーム３２が設けられ、また、前記導電プレート２０における、該各ベース１２と対応する箇所にそれぞれ、揺動プレート４０の接触端子４１と接触可能な接触端子２２が設けられる。
【００２７】
図６及び図７に示すように、この実施例においては、当接ロッド５１が揺動プレート４０の右側を押圧すると共に、揺動プレート４０の左側の接触端子４１が導電プレート２０の接触端子２２から離間する時、電源スイッチ１０が電源を切って遮断状態となり、一方、電源スイッチ１０の押しボタン１１をもう一度押圧して解放すると、その押しボタン１１が揺動ボタン５０を押圧して揺動するので、それに伴い当接ロッド５１が左側へ移動し、これにより、揺動プレート４０の接触端子４１が導電プレート２０の接触端子２２と当接するように接触する。これによれば、前記揺動プレート４０を介して導電プレート２０と電源接続プレート３０とを接続させることにより、電源スイッチの電源を入れて通電状態とすることができる。故に、上述したような操作及び動作を繰り返せば、電源スイッチ１０を簡単にオン又はオフに切り替えることができる。
【００２８】
また、この実施例では、前記揺動プレート４０に支持凹部４２が形成されると共に、前記電源接続プレート３０に支持フレーム３２が設けられることから、電源スイッチ１０に導電プレート２０を組み込む時、その支持凹部４２が支持フレーム３２と対応するように、揺動プレート４０を電源接続プレート３０に組み合わせればよいことから、複数の電源スイッチ１０を次々に導電プレート２０に設置することができるので、組み立ての手間を省くことができる。尚、上述した各実施例における導電プレート２０及び電源接続プレート３０はそれぞれ、電源の入力端子及び出力端子に接続してもよく、特に決まった出入力端子に接続する必要はないので、使用上、非常に便利である。
【産業上の利用可能性】
【００２９】
本考案は上記の構造を有し、電源スイッチが導電プレートと電源接続プレートとを介してそれぞれ電源の出力端子及び入力端子と接続されることから、使用者が押しボタンを押圧して解放すれば、電源スイッチで電源のオン・オフを行なうことができ、また、テーブルタップは、複数の電源スイッチから構成されるものであり、導電プレートがそれら電源スイッチを貫通するように次々と接続されることから、余計な接続導線などが不要であるので、簡素な電気接続構造ができ、且つ簡単に組み立てることができる。
【符号の説明】
【００３０】
１０        電源スイッチ
１１        押しボタン
１１１      側壁
１１２      係合部
１２        ベース
１２１      側壁
１２２      係合孔
２０        導電プレート
２１        支持部
２２        接触端子
３０        電源接続プレート
３１        接触端子
３２        支持フレーム
４０        揺動プレート
４１        接触端子
４２        支持凹部
５０        揺動ボタン
５１        当接ロッド
７０        テーブルタップ
７１        第一導電プレート
７２        第二導電プレート
７３        導線
８０        制御スイッチ
８１        第一接点
８２        第二接点
８３        第三接点
９０        コンセント部材
９１        第一接触プレート
９２        第二接触プレート
【図１】
0003175370.tif 000003
【図２】
0003175370.tif 000004
【図５】
0003175370.tif 000005
【図８】
0003175370.tif 000006
【図３】
0003175370.tif 000007
【図４】
0003175370.tif 000008
【図６】
0003175370.tif 000009
【図７】
0003175370.tif 000010